(57)【要約】      （修正有）【課題】平面ディスプレイを壁面に設置する構造で、複数台のマルチ画面でも容易に設置調整可能な平面ディスプレイ用壁面取付け金具を提供する。【解決手段】底面に複数の取付け用長孔を設けたＬ型アングルを横方向に上下対称に並べ上下間左右に角パイプを渡した壁面取付けベース１と、上下に横方向へ並べた角パイプ間左右と真中に角パイプを渡した本体フレーム２と、一対のコの字型のアングル底面にディスプレイ取付け用の複数の貫通孔を設けアングル上部には鉤状の左右の水平調整用のナットを溶着させた掛止機構を施す。アングル下部には前後の垂直調整用のナットを溶着したアジャスター機構を有するモニター取付け金具３からなり、壁面取付けベース１を壁面に取付け後、本体フレーム２を壁面取付けベース１の角パイプに蝶番で固定し平面ディスプレイＡ背面に取付けた一対のモニター取付け金具３で本体フレーム２に掛止して平面ディスプレイＡの左右水平と前後垂直のレベルを調整する構造とする。【選択図】図１
0003184068.tif 000002
【実用新案登録請求の範囲】
【請求項１】
底面に複数の取付け用長孔を設け両端を立ち上げたＬ型アングルを横方向に上下対称に並べた上下間左右に角パイプを渡して溶着させた壁面取付けベースと、上下に横方向へ並べた角パイプ間左右と真中に角パイプを渡し溶着させた本体フレームと、一対のコの字型に折り曲げたアングル底面にディスプレイ取付け用の複数の貫通孔を設けアングル上部には鉤状に折り曲げて左右の水平調整用のナットを溶着した掛止機構を施し、アングル下部には前後の垂直調整用のナットを溶着したアジャスター機構を有するモニター取付け金具からなり、壁面取付けベースを壁面に取付け後、本体フレームを壁面取付けベースの角パイプに蝶番で接続固定し平面ディスプレイ背面に取付けた一対のモニター取付け金具で本体フレームに掛止して平面ディスプレイの左右水平と前後垂直のレベルを調整する構造とする平面ディスプレイ用壁面取付け金具。
【請求項２】
前記、壁面取付けベースと本体フレームを接続固定する蝶番は、一定角度以上に開かない様回転防止金具を取付ける構造とした請求項１記載の平面ディスプレイ用取付け金具。
【考案の詳細な説明】
【技術分野】
【０００１】  本考案は、プラズマディスプレイや液晶ディスプレイ等の平面ディスプレイを壁面に設置する取付け金具に関する。
【背景技術】
【０００２】  近年、様々な場所で使用され広く普及しているプラズマディスプレイや液晶ディスプレイ等の平面ディスプレイは、従来のブラウン管テレビに比べて奥行き寸法を薄く質量を軽量化した仕様となっている為、壁面に直接取付け床面空間を有効的に利用できる形態となっている。【０００３】  例えば特許文献１では、壁面に取付けるベース金具と平面ディスプレイ背面に取付けるモニター取付け金具からなり、ベース金具はコの字状に折り曲げた金属板先端を上方向に凸状のツメを設け壁面に接する面には取付け用穴を形成させ、モニター取付け金具は金属板をコの字状に曲げ平面ディスプレイの背面と接する面には取付け穴を形成させ、金具上部にはベース金具の凸部のツメと嵌合する位置に開口穴を設ける。このことにより、ベース金具を壁面に取付け、平面ディスプレイ背面に取付けたモニクー取付け金具をベース金具の凸状のツメに嵌合するように嵌め合わせて設置する構造が開示されている。【０００４】  又、特許文献２では、壁面に取付けるポールと平面ディスプレイの背面に取付けるハンガー金具からなり、金具を用いて壁面にポールを取付け平面ディスプレイの背面上部に取付けたフック状のハンガー金具で引っ掛けて設置する構造が開示されている。
【先行技術文献】
【特許文献】
【０００５】
【特許文献１】実登第３１６４３３７号
【特許文献２】特開２００１−２０２０３１号公報
【考案の概要】
【考案が解決しようとする課題】
【０００６】  しかしながら、特許文献１に開示されている構造では単体で使用するには充分な構造であるが、複数台の平面ディスプレイを縦横に並べて使用するマルチ画面では、各々を連設する為各平面ディスプレイ間の位置ずれ等に対する施工設置の調整が非常に困難となる。【０００７】  又、特許文献２に開示されている構造ではポールを使用して引っ掛ける構造の為、マルチ画面になっても長いポールを使用すればある程度対応できるが、例えば縦横に３列の９面マルチ画面の真中のディスプレイのメンテナンスのみを行なう場合、上から引っ掛ける構造の為、まず上段のディスプレイを外さないと真中のディスプレイを外すことができず非常に手間がかかり不便である。【０００８】  本考案は、上述した内容を鑑み単体だけでなく複数のマルチ画面の場合でも施工設置が容易にでき、施工後のメンテナンスでも手間を掛けずに各々のディスプレイを点検することのできる平面ディスプレイ用壁面取付け金具を提供しようとするものである。
【課題を解決するための手段】
【０００９】  本考案の平面ディスプレイ用壁面取付け金具は、底面に複数の取付け用長孔を設け両端を立ち上げたＬ型アングルを横方向に上下対称に並べた上下間左右に角パイプを渡して溶着させた壁面取付けベースと、上下に横方向へ並べた角パイプ間左右と真中に角パイプを渡し溶着させた本体フレームと、一対のコの字型に折り曲げたアングル底面にディスプレイ取付け用の複数の貫通孔を設けアングル上部には鉤状に折り曲げて左右の水平調整用のナットを溶着した掛止機構を施し、アングル下部には前後の垂直調整用のナットを溶着したアジャスター機構を有するモニター取付け金具からなり、壁面取付けベースを壁面に取付け後、本体フレームを壁面取付けベースの角パイプに蝶番で接続固定し平面ディスプレイ背面に取付けた一対のモニター取付け金具で本体フレームに掛止して平面ディスプレイの左右水平と前後垂直のレベルを調整する構造とする事。
【考案の効果】
【００１０】  本考案の効果として、金具自体が壁面取付けベースと本体フレームとモニター取付け金具に分割されるので搬入が容易であり、又施工時、壁面取付けベースの位置が多少ずれてもモニター取付け金具を本体フレームの角パイプにディスプレイごと掛止する構造なので横方向に自在に移動させることができ、左右の水平調整と前後の垂直調整機構がある為マルチ画像の構築でも平面ディスプレイの設置位置を正確に並べる事が可能である。さらに、蝶番を用いているので施工後でも平面ディスプレイを扉状に手前に開いて引き出すことができ、配線工事やメンテナンスを容易に行うことが可能である。
【図面の簡単な説明】
【００１１】
【図１】本考案を壁面に設置した場合の正面斜視図
【図２】同上の平面図
【図３】同上の側面図
【図４】本考案をマルチ画面に構築した場合の平面図
【考案を実施するための形態】
【実施例】
【００１２】  本考案の実施例を図に基づいて説明する。図１は本考案を壁面に設置した場合の正面斜視図であり、底面に複数の取付け用長孔を設け両端を立ち上げたＬ型アングルを横方向に上下対象に並べた上下間左右に角パイプを渡し溶着させた壁面取付けベース１と、上下に横方向へ並べた角パイプ間左右と真中に角パイプを渡し溶着させた本体フレーム２と、一対のコの字型に折り曲げたアングル底面にディスプレイ取付け用の複数の貫通孔を設けアングル上部には鉤状に折り曲げて左右の水平調整用のナットを溶着した掛止機構を施し、アングル下部には前後の垂直調整用のナットを溶着したアジャスター機構を有するモニター取付け金具３からなり、壁面取付けベース１を壁面Ｂに取付け後、本体フレーム２を蝶番７で壁面取付けベース１の角パイプに接続固定し、平面ディスプレイＡに取付けた一対のモニター取付け金具３を本体取付けフレーム２に掛止し水平調整用ボルト９と垂直調整用アジャスター１０で設置調整する構造となっている。【００１３】  壁面取付けベース１は、底面に複数の取り付け用長孔を設け両端を立ち上げたＬ型アングルを横方向に上下対称に並べた上下間左右に、内部に補強を兼ねたコの字曲げ板を挿入した角パイプを渡して溶着させる構造となっており、片方の角パイプには上下対称となる位置に蝶番７取付け用とモニター回転防止金具６取付け用の貫通孔と裏ナットを溶着させ他方の角パイプにも本体フレーム２を停止させる為のマグネットキャッチ８取付け用と本体フレーム固定金具４取付け用の貫通孔と裏ナットを溶着させる。これにより、蝶番７とモニター回転防止金具６を取付け、さらにマグネットキャッチ８と本体フレーム固定金具４を取付けることができる。【００１４】  本体フレーム２は、強度を持たせる為Ｃ型アングルの開口部内にコの字曲げ板を嵌合溶着させ一体化させた角型パイプ構造となっており、上下に横方向へ並べた角パイプ間左右と真中に角パイプを渡し溶着させた本体フレーム２の片側サイド縦方向に、蝶番７取付け用の貫通孔と裏ナットを溶着させ、反対側サイドの上下間センターにはマグネットキャッチ受用貫通孔と裏ナットを溶着させておく。これにより、壁面取付けベース１に取付けた蝶番７に本体フレーム２を接続固定でき、マグネットキャッチ受を取付けることができる。【００１５】  壁面取付けベース１と本体フレーム２を接続固定する蝶番７は大型の平面ディスプレイＡにも耐えられるよう重量蝶番を用いる。又。角パイプの側面にモニター回転防止金具６を取付けることにより、平面ディスプレイＡを手前に開いた時に一定角度で回転が止まる為、平面ディスプレイＡ本体の側面を壁面に接触させることなく、安全に開くことが可能である。このことを示したのが、図２の本考案を壁面に設置した場合の平面図である。【００１６】  図３は本考案を壁面に設置した場合の側面図であり、壁面取付けベース１の角パイプにマグネットキャッチ８を取付けることによって、本体フレーム２を閉じた時、壁面取付けベース１の角パイプとの接合を保持することができ、本体フレーム固定金具４を取付ける事によって本体フレーム２が動かないよう固定させることができる。さらに、本体フレーム固定金具４の先端をへの字状に曲げる��造とすることによって本体フレーム２を開いた状態から閉じる時、重量のある大型の平面ディスプレイＡだと荷重が片側のみにかかり傾斜が生じる為、への字に曲げた先端で本体フレーム２の下枠を受け傾斜を矯正させて閉じることができる。【００１７】  モニター取付け金具３は、一対のコの字に折り曲げたアングル底面にディスプレイ接続用のＶＥＳＡ規格に準拠した寸法で複数の貫通孔を設けておき、アングル上部には鉤状に折り曲げて左右の水平調整用のナットを溶着した掛止機構を施し、アングル下部には前後の垂直調整用のナットを溶着したアジャスター機構を施しておく。さらに、この構造状態だと、モニター取付け金具３自体を固定していないので左右の調整移動が可能となり脱落の可能性が生じる為、コの字状の上面に水平調整用のボルトを貫通させる開口を設けたモニター脱落防止用金具５を取付ける。これにより、複数台のマルチ画面の設置でも各々の平面ディスプレイ間の左右上下の水平垂直の調整が容易に可能となる。【００１８】  図４は本考案をマルチ画面に構築した場合の平面図であり、蝶番７を利用して平面ディスプレイＡを手前に開けられる状態を示している。さらに壁面取付けベース１と本体フレーム２は上下対称となる構造としている為、壁面の状況に応じて壁面取付けベース１と本体フレーム２を１８０度回転させて取付ければ、開く方向を左右変更させることが可能となる。
【符号の説明】
【００１９】  １．  壁面取付けベース
２．  本体フレーム
３．  モニター取付け金具
４．  本体フレーム固定金具
５．  モニター脱落防止金具
６．  モニター回転防止金具
７．  蝶番
８．  マグネットキャッチ
９．  水平調整用ボルト
１０．垂直調整用アジャスター
Ａ．  平面ディスプレイ
Ｂ．  壁面
【図１】
0003184068.tif 000003
【図２】
0003184068.tif 000004
【図３】
0003184068.tif 000005
【図４】
0003184068.tif 000006